(57)【要約】【課題】携帯電話機に電池残量検出回路を増設することなく簡易な回路構成によって、電池の負荷状況、ひいては、この負荷状況に相応した動作の持続可能時間等を検出することを可能にする。【解決手段】ソフトウェア２側のハードカウンタ読み取り機能２５によってハードウェア側の電池の負荷状況と相関の高いＣＰＵやＬＥＤ回路の作動状況を把握しこれに基づいて電池の負荷状況を算出し表示する。【選択図】　　　　　図１
2004078468.tif 000002
【特許請求の範囲】
【請求項１】
動作電源として電池を適用する電子装置全体の電力消費状況と相関の高い動作をする回路部の作動状況を当該電子装置内に組み込んだソフトウェアを用いて監視する監視ステップと、
前記監視ステップで認識された前記回路部の作動状況のデータに基づいて当該電池の負荷状況に関するデータを算出する負荷状況算出ステップと、
を含んでなることを特徴とする電池の負荷状況検出方法。
【請求項２】
前記監視ステップでは、当該電子装置のＣＰＵを演算実行状態にするか演算非実行状態にするかに応じて該ＣＰＵを通常稼動状態にするか低消費電力状態にするかを切り替えるためのＣＰＵ省電力制御機能部での切り替えのタイミングを規定するためのタイマ回路を前記監視の対象たる回路部とすることを特徴とする請求項１に記載の電池の負荷状況検出方法。
【請求項３】
前記監視ステップでは、当該電子装置に設けられた発光素子の動作を制御するための発光素子制御機能部での発光と非発光との切り替えのタイミングを規定するための回路部を前記監視の対象たる回路部とすることを特徴とする請求項１に記載の電池の負荷状況検出方法。
【請求項４】
前記監視ステップに続く負荷状況算出ステップでは、単位時間当りの前記ＣＰＵが演算実行状態にある時間の割合を、当該電池の負荷状況に関するデータとして算出することを特徴とする請求項２に記載の電池の負荷状況検出方法。
【請求項５】
前記監視ステップに続く負荷状況算出ステップでは、単位時間当りの前記発光素子が発光状態にある時間の割合を、当該電池の負荷状況に関するデータとして算出することを特徴とする請求項３に記載の負荷状況検出方法。
【請求項６】
前記負荷状況算出ステップで得た当該電池の負荷状況に関するデータに対応する表示を行う表示ステップを更に含むことを特徴とする請求項１，２，３，又は４に記載の電池の負荷状況検出方法。
【請求項７】
前記電子装置たる携帯電話装置で実行するアプリケーションソフト毎に対応させて前記負荷状況算出ステップで得た当該電池の負荷状況に関するデータに基づいて該電池がその満充電状態から当該携帯電話装置が作動不能な低電圧状態に至るまでの待ち受け可能時間を算出する待ち受け可能時間算出ステップを更に含むことを特徴とする請求項１，２，３，又は４に記載の電池の負荷状況検出方法。
【請求項８】
前記待ち受け可能時間算出ステップで得た当該携帯電話装置の待ち受け可能時間のデータを該当するアプリケーションソフトとリンクさせて保存し且つ該待ち受け可能時間に対応する表示を該当するアプリケーションソフトの選択表示画面内に行うステップを更に含むことを特徴とする請求項７に記載の電池の負荷状況検出方法。
【請求項９】
前記表示をアイコン又は数値で行うことを特徴とする請求項８に記載の電池の負荷状況検出方法。
【請求項１０】
動作電源として適用された電池の電力消費状況と相関の高い動作をする回路部の作動状況をソフトウェアを用いて監視する監視手段と、
前記監視手段によって認識された前記回路部の作動状況のデータに基づいて当該電池の負荷状況に関するデータを算出する負荷状況算出手段と、
を備えて構成されたことを特徴とする携帯電話装置。
【請求項１１】
前記監視手段は、当該携帯電話装置のＣＰＵを演算実行状態にするか演算非実行状態にするかに応じて該ＣＰＵを通常稼動状態にするか低消費電力状態にするかを切り替えるためのＣＰＵ省電力制御機能部での切り替えのタイミングを規定するためのタイマ回路を前記監視の対象たる回路部とするように構成されたものであることを特徴とする請求項１０に記載の携帯電話装置。
【請求項１２】
前記監視手段は、当該携帯電話装置に設けられた発光素子の動作を制御するための発光素子制御機能部での発光と非発光との切り替えのタイミングを規定するための回路部を前記監視の対象たる回路部とするように構成されたものであることを特徴とする請求項１１に記載の携帯電話装置。
【請求項１３】
前記負荷状況算出手段は、単位時間当りの前記ＣＰＵが演算実行状態にある時間の割合を、当該電池の負荷状況に関するデータとして算出するように構成されたものであることを特徴とする請求項１２に記載の携帯電話装置。
【請求項１４】
前記負荷状況算出手段は、単位時間当りの前記発光素子が発光状態にある時間の割合を、当該電池の負荷状況に関するデータとして算出するように構成されたものであることを特徴とする請求項１３に記載の携帯電話装置。
【請求項１５】
前記負荷状況算出手段によって得た当該電池の負荷状況に関するデータに対応する表示を行う表示手段を更に備えたことを特徴とする請求項１０，１１，１２，又は１３に記載の携帯電話装置。
【請求項１６】
実行するアプリケーションソフト毎に対応させて前記負荷状況算出手段で得た当該電池の負荷状況に関するデータに基づいて該電池がその満充電状態から当該携帯電話装置が作動不能な低電圧状態に至るまでの待ち受け可能時間を算出する待ち受け可能時間算出手段を更に備えたことを特徴とする請求項１０，１１，１２，又は１３に記載の携帯電話装置。
【請求項１７】
前記待ち受け可能時間算出手段によって得た当該携帯電話装置の待ち受け可能時間のデータを該当するアプリケーションソフトとリンクさせて保存し且つ該待ち受け可能時間に対応する表示を該当するアプリケーションソフトの選択表示画面内に行う手段を更に備えたことを特徴とする請求項１６に記載の携帯電話装置。
【請求項１８】
前記表示をアイコン又は数値で行うことを特徴とする請求項１７に記載の携帯電話装置。
【請求項１９】
動作電源として電池を適用する電子装置全体の電力消費状況と相関の高い動作をする回路部の作動状況を当該電子装置内に組み込んだソフトウェアを用いて監視する監視ステップと、前記監視ステップで認識された前記回路部の作動状況のデータに基づいて当該電池の負荷状況に関するデータを算出する負荷状況算出ステップと、を含んでなる電池の負荷状況検出方法を実行するためのプログラムを格納してなることを特徴とする情報記憶媒体。
【発明の詳細な説明】
【０００１】
【発明の属する技術分野】
本発明は、動作電源として電池を適用する電子装置における電池の負荷状況検出方法及びこの方法を適用する携帯電話装置並びにこの方法を実行するためのプログラムを格納した情報記憶媒体方法に関する。
【０００２】
【従来の技術】
携帯電話機のように動作電源として電池を適用する電子装置では、使用中に、電池の残り容量を知ることが求められる。このような要請に応えるために、従来より種々提案がなされている。
【０００３】
例えば、特開２００２−５０４１０号公報には、種々の環境温度下での充電／放電状態等に関する二次電池の状態を予め計測して基礎データを得、このデータを電子機器に保有しておき、特定時点での蓄電容量低下や内部抵抗増加等々電池の内部状態をこの基礎データを参照して高精度で検出する技術が開示されている。
【０００４】
また、特開昭６０−２５１４１６号公報には、負荷毎の消費電流の大小に応じて、携帯用端末装置の電池残量検出レベルを選択的に設定して残量警告を表示する技術が開示されている。
【０００５】
上記の他、電池電圧を周期的に監視し電圧レベルの低下に応じて重い負荷への給電を断つようにすることが特開平６−２８０６８号公報に開示され、通信中に電池残量低下を検知すると並行に給電している負荷を軽減するように給電回路を切り替えることにより通話中に通信が途絶えることを回避することが特開平６−６７７６６号公報に開示され、電池電圧を周期的に測定しこの結果に応じて通信可能時間を表示することが特開平１１−１７７８４号公報に開示され、電池の残容量に応じた使用可能時間のデータを保持しこのデータに依拠した使用可能時間の表示を行うことが特開平１１−５５３７２号公報や特開平１１−６９４４２号公報等に開示されている。
【０００６】
更に、電池残量を動作モード別に時間に換算して表示することが特開平９−１８１８０４号公報に開示され、通話時間相応の所要電池残容量を算出しその時点での実際の残容量（算出値）と比較して通話の可否を判断し表示することが特開２００１−３５２３９４号公報に開示されている。
【０００７】
また、電池残量を通信可能時間に換算して表示することが特開平９−１３９７０７号公報に開示され、消費電流を実測する回路を設けこの回路によって測定された電流値に依拠して電池残量を算出し表示することが特開２０００−３２６７３号公報に開示され、主要な各負荷回路での瞬時消費電流値を時間積分したものの相和を演算により求め、適用されたバッテリの仕様と比較してそのバッテリの良否を判定することが特開２０００−３４９８７３号公報に開示されている。
【０００８】
更にまた、バッテリ残容量を常時監視し、選択的に設定した残容量検出レベルに応じた報知を行うことが特開平２０００−２１４９６５号公報に開示され、周期的にバッテリ電圧を検出し、適用するアプリケーションソフトに応じた消費電流相応のカウント値と該検出値とを比較し、バッテリの残容量が不足していると判定されたときにはそのアプリケーションソフトの実行を中止することが特開平８−２８６９８３号公報に開示されている。
【０００９】
特開平６−６３０６号公報には、携帯電話機本体に着脱自在な二次電池パック内にバッテリ残量検出回路を備えこの検出回路によって検出された値を携帯電話機本体側で残り時間に変換処理して表示することが開示されている。
【００１０】
また、バッテリの種別を自動的に識別してこの結果に応じた残量表示及びオートパワーオフを行うように構成された携帯電話機が特開平７−８７００７号公報に開示され、携帯電話機において基地局からの受信レベルに基づいてその地点における通話や待ち受け時間を算出し表示することが特開平８−６５２３０号公報に開示されている。
【００１１】
携帯電話機での電池消費状態は、上掲のうちの該当する文献にも開示されているように、電池電圧の変化を電池残量としてディスプレイに表示するのが一般的であるが、近年、ゲームなどのダウンロードするアプリケーションソフトを携帯電話機（携帯端末）で動作させる上で、組み込みソフトで考慮される省電力設計と反するようなソフトが多い。このため、必要な時に電池残量が無くなり電話機能が使えなくなる。従って、このようなソフト実行中の電池負荷状況をユーザーに認識させることが要求されている。上記特開平６−６３０６号公報の携帯電話機に関しても、現在の電池残量での通話可能時間や着信の待ち受け可能時間を表示することが提案されている。
【００１２】
【発明が解決しようとする課題】
しかしながら、上記何れの先行技術文献に開示された技術においても、電池残量検出回路を新たに必要とする為、回路規模が増大し、コストの上昇を招来することになる。また、任意に選択して適用するアプリケーションソフト毎にこのアプリケーションソフトを実行したときの電池の負荷状況を実態に即して認識することはできない。
【００１３】
そこで、本発明の目的は、電池残量検出回路を増設することなく簡易な回路構成によって、電池の負荷状況、ひいては、この負荷状況に相応した動作の持続可能時間等を検出することを可能にした、電池の負荷状況検出方法及びこの方法を適用する携帯電話装置並びにこの方法を実行するためのプログラムを格納した情報記憶媒体を提供することにある。
【００１４】
【課題を解決するための手段】
上述の課題を解決するため、本発明による電池の負荷状況検出方法、携帯電話装置及び情報記憶媒体は、次のような特徴的な構成を採用している。
【００１５】
（１）動作電源として電池を適用する電子装置全体の電力消費状況と相関の高い動作をする回路部の作動状況を当該電子装置内に組み込んだソフトウェアを用いて監視する監視ステップと、
前記監視ステップで認識された前記回路部の作動状況のデータに基づいて当該電池の負荷状況に関するデータを算出する負荷状況算出ステップと、
を含んでなる電池の負荷状況検出方法。
【００１６】
（２）前記監視ステップでは、当該電子装置のＣＰＵを演算実行状態にするか演算非実行状態にするかに応じて該ＣＰＵを通常稼動状態にするか低消費電力状態にするかを切り替えるためのＣＰＵ省電力制御機能部での切り替えのタイミングを規定するためのタイマ回路を前記監視の対象たる回路部とする上記（１）の電池の負荷状況検出方法。
【００１７】
（３）前記監視ステップでは、当該電子装置に設けられた発光素子の動作を制御するための発光素子制御機能部での発光と非発光との切り替えのタイミングを規定するための回路部を前記監視の対象たる回路部とする上記（１）の電池の負荷状況検出方法。
【００１８】
（４）前記監視ステップに続く負荷状況算出ステップでは、単位時間当りの前記ＣＰＵが演算実行状態にある時間の割合を、当該電池の負荷状況に関するデータとして算出する上記（２）の電池の負荷状況検出方法。
【００１９】
（５）前記監視ステップに続く負荷状況算出ステップでは、単位時間当りの前記発光素子が発光状態にある時間の割合を、当該電池の負荷状況に関するデータとして算出する上記（３）の負荷状況検出方法。
【００２０】
（６）前記負荷状況算出ステップで得た当該電池の負荷状況に関するデータに対応する表示を行う表示ステップを更に含む上記（１），（２），（３），又は（４）の電池の負荷状況検出方法。
【００２１】
（７）前記電子装置たる携帯電話装置で実行するアプリケーションソフト毎に対応させて前記負荷状況算出ステップで得た当該電池の負荷状況に関するデータに基づいて該電池がその満充電状態から当該携帯電話装置が作動不能な低電圧状態に至るまでの待ち受け可能時間を算出する待ち受け可能時間算出ステップを更に含む上記（１），（２），（３），又は（４）の電池の負荷状況検出方法。
【００２２】
（８）前記待ち受け可能時間算出ステップで得た当該携帯電話装置の待ち受け可能時間のデータを該当するアプリケーションソフトとリンクさせて保存し且つ該待ち受け可能時間に対応する表示を該当するアプリケーションソフトの選択表示画面内に行うステップを更に含む上記（７）の電池の負荷状況検出方法。
【００２３】
（９）前記表示をアイコン又は数値で行う上記（８）の電池の負荷状況検出方法。
【００２４】
（１０）動作電源として適用された電池の電力消費状況と相関の高い動作をする回路部の作動状況をソフトウェアを用いて監視する監視手段と、
前記監視手段によって認識された前記回路部の作動状況のデータに基づいて当該電池の負荷状況に関するデータを算出する負荷状況算出手段と、
を備えて構成された携帯電話装置。
【００２５】
（１１）前記監視手段は、当該携帯電話装置のＣＰＵを演算実行状態にするか演算非実行状態にするかに応じて該ＣＰＵを通常稼動状態にするか低消費電力状態にするかを切り替えるためのＣＰＵ省電力制御機能部での切り替えのタイミングを規定するためのタイマ回路を前記監視の対象たる回路部とするように構成されたものである上記（１０）の携帯電話装置。
【００２６】
（１２）前記監視手段は、当該携帯電話装置に設けられた発光素子の動作を制御するための発光素子制御機能部での発光と非発光との切り替えのタイミングを規定するための回路部を前記監視の対象たる回路部とするように構成されたものである上記（１１）の携帯電話装置。
【００２７】
（１３）前記負荷状況算出手段は、単位時間当りの前記ＣＰＵが演算実行状態にある時間の割合を、当該電池の負荷状況に関するデータとして算出するように構成された上記（１２）の携帯電話装置。
【００２８】
（１４）前記負荷状況算出手段は、単位時間当りの前記発光素子が発光状態にある時間の割合を、当該電池の負荷状況に関するデータとして算出するように構成された上記（１３）の携帯電話装置。
【００２９】
（１５）前記負荷状況算出手段によって得た当該電池の負荷状況に関するデータに対応する表示を行う表示手段を更に備えた上記（１０），（１１），（１２），又は（１３）の携帯電話装置。
【００３０】
（１６）実行するアプリケーションソフト毎に対応させて前記負荷状況算出手段で得た当該電池の負荷状況に関するデータに基づいて該電池がその満充電状態から当該携帯電話装置が作動不能な低電圧状態に至るまでの待ち受け可能時間を算出する待ち受け可能時間算出手段を更に備えた上記（１０），（１１），（１２），又は（１３）の携帯電話装置。
【００３１】
（１７）前記待ち受け可能時間算出手段によって得た当該携帯電話装置の待ち受け可能時間のデータを該当するアプリケーションソフトとリンクさせて保存し且つ該待ち受け可能時間に対応する表示を該当するアプリケーションソフトの選択表示画面内に行う手段を更に備えた上記（１６）の携帯電話装置。
【００３２】
（１８）前記表示をアイコン又は数値で行う上記（１７）の携帯電話装置。
【００３３】
（１９）動作電源として電池を適用する電子装置全体の電力消費状況と相関の高い動作をする回路部の作動状況を当該電子装置内に組み込んだソフトウェアを用いて監視する監視ステップと、前記監視ステップで認識された前記回路部の作動状況のデータに基づいて当該電池の負荷状況に関するデータを算出する負荷状況算出ステップと、を含んでなる電池の負荷状況検出方法を実行するためのプログラムを格納してなる情報記憶媒体。
【００３４】
【発明の実施の形態】
以下、本発明の好適実施形態について詳細に説明する。
【００３５】
図１は本発明の方法を適用する携帯電話機の構成例を示すブロック図である。図１において、１は本発明の方法を実行するに適合する構成を有する電子装置としての本発明の携帯電話装置のうち電池負荷の高いハードウェアを概念的に示すブロックであり、２はこの携帯電話装置のハードウェアに適用されて本発明の方法を実行するためのソフトウェアを概念的に示すブロックである。
【００３６】
上記のハードウェア１は、表示回路１１、無線回路１２、ＬＥＤ回路１３、ＣＰＵ１４、及び、常に動作しているタイマ回路１５を含んで構成される。一方、ソフトウェア２は、ハードウェア１に含まれるこれら各部に上述の順に対応して、表示制御機能２１、無線制御機能２２、ライト制御機能２３、ＣＰＵ未使用時に電力セーブさせるＣＰＵ省電力制御機能２４、及び、タイマ回路１５（ハードウェアのカウンタ）を読み取ってソフトウェアによるカウンタの機能として時間値に変換するためのハードカウンタ読み取り機能２５を含んで構成される。
【００３７】
ソフトウェア２には、更に、ハードカウンタ読み取り機能２５によって得た時間値と、上述の表示制御機能２１、無線制御機能２２、ライト制御機能２３、及び、ＣＰＵ省電制御機能２４の各機能によって各対応するハードウェアの回路毎の動作タイミングからこれらの各回路の電池負荷時間（電源としての電池から動作するに必要な電流を負荷電流として取り出している時間）を計測し単位時間当りの負荷電流を取り出している時間の割合である負荷率を算出する電池負荷率測定機能２６、この電池負荷率測定機能２６によって算出された値を表示するための電池負荷率表示機能２７、及び、該電池負荷率測定機能２６によって算出された値と当該ソフトウェア２内に予め保持された当該携帯電話装置を構成する主要デバイス毎の消費電力を表す主要デバイス消費電力データ２８から、この携帯電話装置の待ち受け時間を計算する待ち受け時間計算機能２９が含まれる。
【００３８】
上記の待ち受け時間は、この携帯電話装置に適用された電池がその満充電状態から当該携帯電話装置が作動不能な低電圧状態に至るまでの時間である。
【００３９】
携帯電話装置が待ち受けモードにあるときにアプリケーションソフトを実行するに際し、ＬＥＤ回路１３とＣＰＵ１４とが作動する場合を想定して、このときに電源として適用されている電池に関する上述した負荷率の算出について説明する。
【００４０】
ＣＰＵ１４に関する電池負荷率の測定としては、ＣＰＵ１４が演算実行状態にあるか演算非実行状態にあるかに応じて該ＣＰＵ１４を通常稼動状態にするか低消費電力状態にするかを切り替えるためのＣＰＵ省電力制御機能２４での切り替えのタイミングを規定するためのタイマ回路１５を対象として監視する。
【００４１】
即ち、ＣＰＵ１４が非演算中はＣＰＵを低消費電力状態に落とす制御をＣＰＵ省電力制御機能２４によって行うので、この低消費電力状態に落とすタイミングでの時間値（時刻）と、低消費電力状態から通常演算状態に切り替わる時間値（時刻）をハードカウンタ読み取り機能２５から読み取り、これらの読み取り値に基づいてＣＰＵ１４が単位時間当り通常演算状態にある時間の割合として、電池負荷率を電池負荷率測定機能２６によって算出する。
【００４２】
ＬＥＤ回路１３についても同様に、ライト制御機能２３によって発光素子であるＬＥＤをＬＥＤ回路１３で点灯させている時間を計測し、この計測結果に基づいて点灯している時間の割合として算出される電池負荷率を電池負荷率表示機能２７により表示する。
【００４３】
更に、各算出して得た夫々のデバイスに係る電池負荷率と主要デバイス消費電力データ２８から、アプリケーションソフト実行中に各デバイスが単位時間あたりに使用する電流値を算出し、その合計から、そのアプリケーションソフトを連続的に動かした場合に、電池がその満充電状態から低電圧状態に至って携帯電話装置が動かなくなるまでの時間である待ち受け可能時間を待ち受け時間計算機能２９で計算する。この計算結果は、アプリケーションソフトとリンクして保存され、表示制御機能２１と表示回路１１によりアプリケーションソフトの選択画面にて表示する。この表示は、例えば、アイコン又は数値で行う。
【００４４】
以上に説明した本発明の実施形態によれば、その携帯電話装置のユーザーは、ダウンロードしたゲームなどのアプリケーションソフトを実行しているときに電池への負荷率を認識できる為、携帯電話装置が待ち受けモードにあるときにゲームを動かし続ける設定をした場合でもどの程度電池が持つのか簡単に推測できる。このため、本来確保しておきたいと意図していた通話時間乃至は待ち受け時間を失ってしまうといった不測の事態を招来する虞れが低減する。
【００４５】
また、このような携帯電話装置ではアプリケーションソフト毎の電池負荷の度合いが容易に把握できるため、アプリケーションソフトの作成者側も電池負荷を意識した設計を行うようになってくることが期待される。
【００４６】
さらには、携帯電話装置が上述の実施形態のような機能を持つものであれば、携帯電話装置の設計時に処理高速化の設計をする上で、電池負荷の度合いを目安にしてＣＰＵの実行率を定量的に把握し、処理時間がかかっている機能の割り出しや、高速化した効果の確認をする事が容易になる。
【００４７】
携帯電話設計時に、各機能の時間や、実行タイミングの前後関係を確認する上で、確認したいソフト処理の各ポイントに、時間計測用機能を埋め込む事により、時間計測用機能で測定ポイントと時間値をメモリに実行ログとして記録して計測後に実行ログを表示またはデータ出力する事で、高価なタイミング測定装置を必要とせずに確認することが出来る。
【００４８】
以上のようにして設計され製作された本発明の実施形態の携帯電話装置では、インターネット接続してアプリケーションソフトをダウンロードし実行している間にも、そのソフトがどの程度の電池負荷が有るのかが視覚的に表示されるため、待ち受けする事が出来る時間を定量的に把握できる。従って、ユーザーは待ち受け可能時間を長く確保しておきたい時等に、使用するソフトを適切に判断するための目安を得ることが出来ることになる。
【００４９】
上述においては、本発明の電池の負荷状況検出方法及び携帯電話装置の実施形態について説明したが、この方法を実行するため、或いは、この携帯電話装置を実現するために、動作電源として電池を適用する電子装置全体の電力消費状況と相関の高い動作をする回路部の作動状況を当該電子装置内に組み込んだソフトウェアを用いて監視する監視ステップと、上記監視ステップで認識された上記回路部の作動状況のデータに基づいて当該電池の負荷状況に関するデータを算出する負荷状況算出ステップと、を含んでなる電池の負荷状況検出方法を実行するためのプログラムを格納した情報記憶媒体を用意することは、上記の方法の発明乃至装置の発明の実施を現実のものとする上で必須のこととなる。従って、このような情報記憶媒体もここに発明として提案する。
【００５０】
以上、本発明の好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。
【００５１】
【発明の効果】
本発明によれば、電池残量検出回路を増設することなく簡易な回路構成によって、電池の負荷状況、ひいては、この負荷状況に相応した動作の持続可能時間等を検出することを可能にした、電池の負荷状況検出方法及びこの方法を適用する携帯電話装置並びにこの方法を実行するためのプログラムを格納した情報記憶媒体が実現される。
【図面の簡単な説明】
【図１】本発明の方法を適用する携帯電話機の構成例を示すブロック図である。
【符号の説明】
１　　　　　　ハードウェア
２　　　　　　ソフトウェア
１１　　　　　表示回路
１２　　　　　無線回路
１３　　　　　ＬＥＤ回路
１４　　　　　ＣＰＵ
１５　　　　　タイマ回路
２１　　　　　表示制御機能
２２　　　　　無線制御機能
２３　　　　　ライト制御機能
２４　　　　　ＣＰＵ省電力制御機能
２５　　　　　ハードカウンタ読み取り機能
２６　　　　　電池負荷率測定機能
２８　　　　　主要デバイス消費電力データ
２９　　　　　待ち受け時間計算機能
【図１】
2004078468.tif 000003